(57)【要約】【課題】コストをかけず簡単な構成でソーラーパネル等のパネル状物の南北方向および東西方向の角度を調整すると共に、平面視におけるパネル面と平行方向の回転角度も調整する。【解決手段】杭または取付用ブラケット等の上下方向に対し直交するＸ軸方向に通されたＸ軸方向ボルト１５ａを回転軸として回動する下側ブラケット１１と、下側ブラケット１１の連結部１１ｅに通されたＹ軸方向ボルト１６ａを回転軸として下側ブラケット１１に対し回動する上側ブラケット１２とを有し、上側ブラケット１２の桁受け板部１２ｂには、桁受け面１２ｂ１に対し垂直方向であるＺ軸方向に通されたＺ軸方向ボルト１７ａを回転軸として回動して桁材を押える桁材押え片１３，１３が設けられている。【選択図】図１
2018125975.tif 000002
【特許請求の範囲】
【請求項１】
杭または取付用ブラケット等の上部に設置され、その上に架台を介しパネル状物を取り付けるためのパネル状物取付装置であって、
前記杭または取付用ブラケット等の上下方向に対し直交するＸ軸方向に通されたＸ軸方向ボルトを回転軸として回動すると共に、前記Ｘ軸方向と直交するＹ軸方向にＹ軸方向ボルトを通す連結部が設けられた下側ブラケットと、
前記下側ブラケットの連結部に通された前記Ｙ軸方向ボルトを介し連結される基部と、その基部の上部に設けられ、前記架台を構成する桁材を支持する桁受け面を有する桁受け板部とを備え、前記Ｙ軸方向ボルトを回転軸として前記下側ブラケットに対し回動する上側ブラケットとを有し、
当該上側ブラケットの前記桁受け板部には、
前記桁受け面に対し垂直方向であるＺ軸方向に通されたＺ軸方向ボルトを回転軸として回動して前記桁材を押える桁材押え片が設けられていることを特徴とするパネル状物取付装置。
【請求項２】
請求項１記載のパネル状物取付装置において、
前記桁材の下端部の両側にはそれぞれフランジ部が設けられ、それら両側のフランジ部の先端にはそれぞれ被係合部が設けられている一方、
前記桁材押え片には、前記桁材の下端部両側のフランジ部の前記被係合部に係合する係合部が設けられていることを特徴とするパネル状物取付装置。
【発明の詳細な説明】
【技術分野】
【０００１】
本発明は、杭または取付用ブラケット等の上部に設置され、その上に架台を介してソーラーパネル（太陽電池モジュール）等のパネル状物を取り付けるためのパネル状物取付装置に関する。
【背景技術】
【０００２】
従来、大きなソーラーパネル（太陽電池モジュール）を多数設置する場合、設置場所を整地した後、杭や支柱等を地面に埋め込み、その杭等の上部にパネル状物取付装置を取り付け、そのパネル状物取付装置の上に桁材や垂木等で架台を構築して多数のソーラーパネル（太陽電池モジュール）を設置している。
ソーラーパネルは、太陽光で発電するため、発電効率が向上するように地面に対して傾斜させて設置する必要がある。
そのため、例えば、縦横方向に所定間隔で地面に埋設した杭や支柱等の上部にパネル状物取付装置を取付け、このパネル状物取付装置の上に東西方向に延びる桁材を配置すると共に、その桁材とは直交する方向、すなわち南北方向に垂木を設け、その垂木の上に複数枚のソーラーパネルを固定する方法が提案されている（例えば、特許文献１参照。）。
この特許文献１に記載されたパネル状物取付装置は、ソーラーパネルを傾斜地等においても確実に設置することができるよう、ソーラーパネルの角度を地面に対し南北方向の角度だけでなく、東西方向の角度、さらには平面視における回転方向に調整することができるように構成されている。
具体的には、このパネル状物取付装置は、頂部が側面視円弧状に形成された支持面を備えた本体と、上部側に桁材を固定する取付部が設けられると共に、下部側に本体の支持面に対応する曲面を備えた基底面を備えた取付部材とを備えて構成されており、取付部材の基底面を本体の側面視円弧状の支持面の任意の位置で固定することにより東西に延びる桁材を所定の傾斜角度に設置することができるように構成されている一方、支持部材は本体に対し南北方向に傾斜可能に構成されている。また、取付部材の桁材取付部は、桁の表面に面接触可能に平面状に形成され、桁材を固定するためのボルト孔が桁材の配置角度を平面視における回転方向に調整することができるように円弧状の長孔で構成されている。
【先行技術文献】
【特許文献】
【０００３】
【特許文献１】特開２０１６−１２７７１６号公報
【発明の概要】
【発明が解決しようとする課題】
【０００４】
しかしながら、上述の特許文献１の背景技術では、ソーラーパネルの南北方向の角度は、パネル状物取付装置の本体の左右両側（東西方向）の側面に設けた円弧状の長孔によって調整する一方、東西方向の角度は本体の頂部の円弧状に形成された支持面と、その円弧状の支持面に対応する円弧状の曲面を備えた取付部材の基底面とにより調整するように構成されているため、形状が複雑であり、製造コストが増大するという問題がある。
【０００５】
また、上述の特許文献１の背景技術では、ソーラーパネルの平面視における回転方向の調整は、取付部材の桁材取付部に設けた円弧状長孔によって調整するため、円弧状長孔の長さにより回転角度が制限されると共に、円弧状長孔を長くすると取付部材の桁材取付部が大きくなり、製造コストが増大するという問題がある。
【０００６】
さらに、上述の特許文献１の背景技術では、ソーラーパネルのフレームを構築する桁材にボルトの頭部が嵌って軸部が突出するように予め蟻（あり）溝ないしは凹部を形成しているため、桁材の加工が複雑になり、この点でも製造コストがかかるという問題もある。
【０００７】
そこで、本発明はこのような問題点に着目してなされたもので、コストをかけず簡単な構成でソーラーパネル等のパネル状物の南北方向および東西方向の角度を調整できると共に、平面視におけるパネル面と平行方向の回転角度も調整できるパネル状物取付装置を提供することを目的とする。
【課題を解決するための手段】
【０００８】
前記課題を解決するため、本発明に係るパネル状物取付装置は、杭または取付用ブラケット等の上部に設置され、その上に架台を介しパネル状物を取り付けるためのパネル状物取付装置であって、前記杭または取付用ブラケット等の上下方向に対し直交するＸ軸方向に通されたＸ軸方向ボルトを回転軸として回動すると共に、前記Ｘ軸方向と直交するＹ軸方向にＹ軸方向ボルトを通す連結部が設けられた下側ブラケットと、前記下側ブラケットの連結部に通された前記Ｙ軸方向ボルトを介し連結される基部と、その基部の上部に設けられ、前記架台を構成する桁材を支持する桁受け面を有する桁受け板部とを備え、前記Ｙ軸方向ボルトを回転軸として前記下側ブラケットに対し回動する上側ブラケットとを有し、当該上側ブラケットの前記桁受け板部には、前記桁受け面に対し垂直方向であるＺ軸方向に通されたＺ軸方向ボルトを回転軸として回動して前記桁材を押える桁材押え片が設けられていることを第１の特徴とする。
また、本発明に係るパネル状物取付装置は、前記パネル状物取付装置において、前記桁材の下端部の両側にはそれぞれフランジ部が設けられ、それら両側のフランジ部の先端にはそれぞれ被係合部が設けられている一方、前記桁材押え片には、前記桁材の下端部両側のフランジ部の前記被係合部に係合する係合部が設けられていることを第２の特徴とする。
【発明の効果】
【０００９】
本発明に係るパネル状物取付装置は、杭または取付用ブラケット等の上下方向に対し直交するＸ軸方向に通されたＸ軸方向ボルトを回転軸として回動すると共に、Ｘ軸方向と直交するＹ軸方向にＹ軸方向ボルトを通す連結部が設けられた下側ブラケットと、下側ブラケットの連結部に通されたＹ軸方向ボルトを介し連結される基部と、その基部の上部に設けられ、架台を構成する桁材を支持する桁受け面を有する桁受け板部とを備え、Ｙ軸方向ボルトを回転軸として下側ブラケットに対し回動する上側ブラケットとを有し、当該上側ブラケットの桁受け板部には、桁受け面に対し垂直方向であるＺ軸方向に通されたＺ軸方向ボルトを回転軸として回動して桁材を押える桁材押え片が設けられている。
そのため、本発明に係るパネル状物取付装置は、下側ブラケットと、上側ブラケットと、桁材押え片と、それらを回動可能に取り付けるボルトおよびナット等の簡単な構成でソーラーパネル等のパネル状物の南北方向および東西方向の角度を調整できると共に、平面視におけるパネル面と平行に回動させて角度を調整できるので、製造コストを低減することができる。
その結果、本発明に係るパネル状物取付装置によれば、ソーラーパネル（太陽電池モジュール）を桁材等の架台を介し設置する際、例えば、設置場所が平地でない傾斜地や斜面等であったり、あるいはパネル状物取付装置を取り付ける杭や取付用ブラケット等が傾いていたり、高さや位置がズレていた場合でも、杭や取付用ブラケット等に取り付けた各パネル状物取付装置でＸ軸方向、Ｙ軸方向、Ｚ軸方向の３方向の角度調整を行うことができるので、３方向の角度調整を行うことができるので、杭工事の精度が緩和され、架台設置の際の調整時間も少なくなり、工期短縮を図ることができると共に、パネル状物取付装置１を工場等でユニット化して出荷することができるため、この点でも工期短縮を図ることができる。
また、桁材を押える桁材押え片が桁受け板部の桁受け面に対し回動可能に設けられるため、平面視におけるパネル面と平行方向の回転角度を簡単な構成で、製造コストを増大させずに大きく確保することができる。
【図面の簡単な説明】
【００１０】
【図１】（ａ），（ｂ）それぞれ本発明に係る実施形態のパネル状物取付装置を使用して複数のソーラーパネルを設置した状態を示す平面図、側面図である。
【図２】ソーラーパネルの架台を構成する桁材と垂木の構成と連結状態等を示す斜視図である。
【図３】実施形態のパネル状物取付装置の斜視図である。
【図４】実施形態のパネル状物取付装置の正面図である。
【図５】実施形態のパネル状物取付装置の右側面図である。
【図６】実施形態のパネル状物取付装置の平面図である。
【図７】図４におけるＡ−Ａ線断面図である。
【図８】杭の上部に取り付けた実施形態のパネル状物取付装置の上に東西方向に延びる桁材を水平に取り付けた状態を示す部分拡大正面図である。
【図９】図８におけるＢ−Ｂ線断面図である。
【図１０】図９に示す状態から実施形態のパネル状物取付装置の下側ブラケットを上側ブラケットから引き上げた状態を示す部分断面図である。
【図１１】図９に示す状態から実施形態のパネル状物取付装置の下側ブラケットを上側ブラケットに対し押し下げた状態を示す部分断面図である。
【図１２】杭の上部に取り付けた実施形態のパネル状物取付装置の上に東西方向に延びる桁材を傾斜して取り付けた状態を示す部分拡大正面図である。
【図１３】（ａ），（ｂ）それぞれ実施形態のパネル状物取付装置の上に桁材を東西方向に取り付けた状態、東西方向に対し傾斜させて取り付けた状態を示す部分拡大平面図である。
【図１４】杭の上部に取り付けた実施形態のパネル状物取付装置の上に東西方向に延びる桁材および垂木を介してソーラーパネルを取り付けた状態を示す部分断面拡大正面図である。
【図１５】杭の上部に取り付けた実施形態のパネル状物取付装置の上に東西方向に延びる桁材および垂木を介してソーラーパネルを取り付け、そのソーラーパネルを南北方向に傾斜させて取り付けた状態を示す部分拡大側面図である。
【図１６】実施形態のパネル状物取付装置によって傾斜した桁材を支持している状態を示す斜視図である。
【図１７】桁材押え片の他の形態を示す平面図である。
【発明を実施するための形態】
【００１１】
以下、本発明に係るパネル状物取付装置の実施形態を、図面を参照して説明する。尚、以下に説明する実施の形態では、パネル状物としてソーラーパネル（太陽電池モジュール）を一例に説明するが、ソーラーパネルはあくまで本発明の一例であり、また本発明が下記に説明する実施の形態に限定されるものではなく、本発明の技術的思想の範囲内で適宜変更可能である。
【００１２】
（実施形態のパネル状物取付装置１の全体構造）
本発明に係る実施形態のパネル状物取付装置１は、図１（ａ），（ｂ）に示すように杭等の地面５に埋設された杭２の上端部に設置され、その上に架台３を介し複数のソーラーパネル（太陽電池モジュール）４を取り付けるためのもので、架台３を構成する桁材３１を支持するように構成されている。
【００１３】
（架台３の構成）
架台３は、図１（ａ），（ｂ）に示すように所定間隔に配設した東西方向に延びる複数の桁材３１と、その桁材３１と垂直方向である南北方向に延びるように配設した複数の垂木材３２等から構成されており、その複数の垂木材３２の上に複数のソーラーパネル４が設置される。
【００１４】
ここで、架台３を構成する桁材３１は、図２や図１１等に示すように、断面がほぼ縦長の長方形状であり、その上部の一方側には、垂木３２の下面の長手方向にスライド可能に設けられた桁・垂木連結ボルト１８ａが挿通するボルト孔３１ａ１（図１１等参照。）を有する垂木接合用フランジ部３１ａが設けられており、桁材３１と垂木３２とは桁・垂木連結ボルト１８ａを回転軸とし回動して角度を調整できるように連結される。
【００１５】
桁材３１の下端両側には、桁材３１の短手方向、すなわち垂木３２の長手方向に延びるフランジ部３１ｂ，３１ｂが設けられ、それら両側のフランジ部３１ｂ，３１ｂの先端にはそれぞれ被係合部として上方に向かって突出した桁材側凸部３１ｃ，３１ｃが設けられている。
【００１６】
一方、垂木３２も、図２や図１４等に示すように、断面がほぼ縦長の長方形状に形成されており、その下部と上部には、それぞれ、桁・垂木連結ボルト１８ａとパネル・垂木連結ボルト１９ａの頭部が嵌って桁・垂木連結ボルト１８ａとパネル・垂木連結ボルト１９ａとが脱落せず、かつ、その軸部を下部または上部から突出させた状態で長手方向に移動可能なボルト移動溝部３２ａ，３２ｂが設けられている。
【００１７】
そのため、垂木３２は、下部のボルト移動溝部３２ａに移動可能に嵌められた桁・垂木連結ボルト１８ａの軸部が桁材３１の垂木接合用フランジ部３１ａに設けられたボルト孔３１ａ１（図１１等参照。）に通されてナット１８ｂによって桁材３１に固定される一方、上部のボルト移動溝部３２ｂに移動可能に嵌められたパネル・垂木連結ボルト１９ａの軸部がソーラーパネル４に設けられたボルト孔にモジュール押え材１９ｃ（図１４や図１５参照。）を介し通されてナット１９ｂによってソーラーパネル４と固定される。
【００１８】
（下側ブラケット１１の構成）
下側ブラケット１１は、杭２の長手方向に対し直交するＸ軸方向に貫通するＸ軸方向ボルト１５ａ（図８や図９等参照。）が通され、当該Ｘ軸方向ボルト１５ａを回転軸として回動してソーラーパネル４の南北方向の傾斜角度を調整すると共に、その上部にＸ軸方向と直交するＹ軸方向のＹ軸方向ボルト１６ａを介し回動可能に連結した上側ブラケット１２をＹ軸方向ボルト１６ａ（図７や、図８、図９等参照。）を回転軸として回動させてソーラーパネル４の東西方向の傾斜角度を調整できるように構成されている。
【００１９】
具体的には、下側ブラケット１１は、杭２の左右（東西方向）両側面にそれぞれ対向するように設けられ、Ｘ軸方向ボルト１５ａを通すＸ軸方向ボルト挿通孔１１ａ１，１１ａ１がそれぞれ設けられた対向する一対の下側側板部１１ａ，１１ａと、その一対の下側側板部１１ａ，１１ａの上端部それぞれから斜めに、当該一対の下側側板部１１ａ，１１ａの中央に向かって延び、一対の下側側板部１１ａ，１１ａの間の中間にて交差する一対の傾斜板部１１ｂ，１１ｂと、一対の下側側板部１１ａ，１１ａの上端部それぞれから内側に向かい垂直方向で当該一対の下側側板部１１ａ，１１ａの間の中間に向かって延び、一対の傾斜板部１１ｂ，１１ｂを斜辺とした三角形の底辺を構成する天板部１１ｃと、その天板部１１ｃの中間地点から垂直に上方に向かって一対の傾斜板部１１ｂ，１１ｂの交点まで延びる垂直板部１１ｄとを有する。
【００２０】
そして、下側ブラケット１１の一対の斜板部１１ｂ，１１ｂと天板部１１ｃとが形成する三角形の頂点となる連結部１１ｅには、Ｘ軸方向ボルト１５ａとは直交するＹ軸方向ボルト１６ａが通されるＹ軸方向ボルト孔１１ｅ１が設けられている。
【００２１】
（上側ブラケット１２の構成）
上側ブラケット１２は、下側ブラケット１１の一対の傾斜板部１１ｂ，１１ｂと垂直板部１１ｄとの交点である連結部１１ｅのＹ軸方向ボルト孔１１ｅ１に挿通されたＹ軸方向ボルト１６ａを介し連結される基部を構成する一対の上側側板部１２ａ，１２ａと、その一対の上側側板部１２ａ，１２ａの上部に設けられ、桁材３１を支持する桁受け面１２ｂ１を有する桁受け板部１２ｂとを備え、Ｙ軸方向ボルト１６ａを回転軸として回動してソーラーパネル４の東西方向の傾斜角度を調整できるように構成されている。
【００２２】
一対の上側側板部１２ａ，１２ａには、それぞれ、Ｙ軸方向ボルト１６ａが挿入される上下方向に長い高さ調整用長孔１２ａ１，１２ａ１（図４や、図５、図７等参照。）が形成されており、図９〜図１１に示すように下側ブラケット１１に対する上側ブラケット１２の上下方向の高さも調整できるように構成されている。
【００２３】
また、一対の上側側板部１２ａ，１２ａの外側面には、下側ブラケット１１に対する上側ブラケット１２の上下方向の高さをズレ落ちることなく確実に固定できるように、ローレット加工されたローレット加工部１２ａ２，１２ａ２が設けられている。
【００２４】
また、上側側板部１２ａ，１２ａの外側面と、Ｙ軸方向ボルト１６ａの頭部およびナット１６ｂと間には、それぞれ、調整座金１４，１４が設けられており、調整座金１４，１４には、それぞれ、Ｙ軸方向ボルト１６ａが挿通するボルト挿通孔１４ａ，１４ａが設けられていると共に、上側側板部１２ａ，１２ａのローレット加工部１２ａ２，１２ａ２と対向する側に同様のローレット加工部１４ｂ，１４ｂが加工されている。
【００２５】
上側ブラケット１２の桁受け板部１２ｂは、架台３を構成する桁材３１が取付けられる部分であり、その両側には、図５や図７等に示すように、桁材３１の下面が当接する桁受け面１２ｂ１に対し垂直方向であるＺ軸方向にＺ軸方向ボルト１７ａ，１７ａを通すボルト挿通孔１２ｂ２，１２ｂ２が形成されており、そのボルト挿通孔１２ｂ２，１２ｂ２に挿通したＺ軸方向ボルト１７ａ，１７ａによって桁材３１を押える桁材押え片１３，１３が回動可能に設けられている。
【００２６】
桁材押え片１３，１３は、図７等に示すように、桁材３１のフランジ部３１ｂ，３１ｂの被係合部である桁材側凸部３１ｃ，３１ｃにそれぞれ係合する係合部として押え片側凸部１３ａ，１３ａおよび押え片側凹部１３ｂ，１３ｂが下面側に設けられていると共に、Ｚ軸方向ボルト１７ａ，１７ａを通すボルト挿通孔１３ｃ，１３ｃが設けられている。
【００２７】
ここで、実施形態のパネル状物取付装置１では、後述する図１３（ａ），（ｂ）に示すように、桁受け面１２ｂ１と平行な面において桁材３１が傾斜した際の桁材押え片１３，１３のズレを考慮して、上側ブラケット１２の桁受け板部１２ｂのボルト挿通孔１２ｂ２および桁材押え片１３のボルト挿通孔１３ｃの内径をＺ軸方向ボルト１７ａの外径よりも大きくしている。例えば、Ｚ軸方向ボルト１７ａの外径が１０ｍｍの場合、ボルト挿通孔１２ｂ２および桁ボルト挿通孔１３ｃの内径をそれより大きい１２ｍｍとすることにより、桁材３１が桁受け板部１２ｂの短手方向に対し２０度近く傾斜した場合でも、桁材押え片１３，１３のズレを吸収できる。
【００２８】
（パネル状物取付装置１の使用方法等）
次に以上のように構成された実施形態のパネル状物取付装置１の使用方法等について説明する。
【００２９】
（杭２へのパネル状物取付装置１の取付け）
まずは、ソーラーパネル４を設置する傾斜地等の地面５に図１（ａ），（ｂ）に示すように、例えば４本の杭２を打ち込む。その際、ソーラーパネル４は、発電効率が向上するように南北方向に斜めに傾斜させて杭２に設置する必要があるため、トランシット等の測定機器を使用して可能な限り各杭２の高さ（レベル）を最適な高さに設定する。
【００３０】
次に、４本の杭２の上端部に、図１（ａ），（ｂ）に示すように、以上のように構成された実施形態のパネル状物取付装置１をそれぞれ取付ける。
【００３１】
具体的には、図８および図９に示すように、パネル状物取付装置１を構成する下側ブラケット１１の下側側板部１１ａ，１１ａが杭２の東西方向の側面に接触するように杭２上に設置して、下側側板部１１ａ，１１ａに設けられたＸ軸方向ボルト挿通孔１１ａ１，１１ａ１にそれぞれＸ軸方向ボルト１５ａを通してナット１５ｂで締結する。ただし、現段階ではナット１５ｂは仮止めとする。尚、杭２の上端部にもＸ軸方向ボルト１５ａが通るボルト孔が設けられている。
【００３２】
ここで、例えば、杭２の高さが低く、図８および図９に示すようにＹ軸方向ボルト１６ａが上側側板部１２ａ，１２ａに形成された高さ調整用長孔１２ａ１，１２ａ１のほぼ中央に位置した状態ではパネル状物取付装置１の高さが低い場合、図１０に示すように、Ｙ軸方向ボルト１６ａが高さ調整用長孔１２ａ１，１２ａの下側に位置するように下側ブラケット１１に対し上側ブラケット１２を引き上げて、Ｙ軸方向ボルト１６ａおよびナット１６ｂにより仮固定する。
【００３３】
これに対し、例えば、杭２の高さが高く、図８および図９に示すようにＹ軸方向ボルト１６ａが高さ調整用長孔１２ａ１，１２ａ１のほぼ中央に位置した状態ではパネル状物取付装置１の高さが高い場合には、図１１に示すように、Ｙ軸方向ボルト１６ａが高さ調整用長孔１２ａ１，１２ａの上側に位置するように下側ブラケット１１に対し上側ブラケット１２を押し下げて、Ｙ軸方向ボルト１６ａおよびナット１６ｂにより仮固定する。
【００３４】
そのため、杭２の上部に設けたパネル状物取付装置１の高さが所望の高さでない場合には、図１０や図１１に示すように高さ調整用長孔１２ａ１，１２ａ１によって下側ブラケット１１に対する上側ブラケット１２の高さを調整することができる。
【００３５】
また、上側側板部１２ａ，１２ａの外側面と、Ｙ軸方向ボルト１６ａの頭部およびナット１６ｂと間には、それぞれ、調整座金１４，１４が設けられており、調整座金１４，１４にもローレット加工部１４ｂ，１４ｂが設けられているため、下側ブラケット１１に対し上側ブラケット１２がズレ落ちることなく確実に固定することとができる。
【００３６】
（パネル状物取付装置１へ桁材３１を取付け）
次に、４本の各杭２の上端部にそれぞれ仮止めしたパネル状物取付装置１の南側２個と、北側２個のパネル状物取付装置１の上側ブラケット１２の桁受け板部１２ｂに、図１（ａ）に示すように桁材３１を東西方向に向けて取り付ける。
【００３７】
具体的には、図８や図９、図１３（ａ）に示すように、上側ブラケット１２の桁受け板部１２ｂの上に、桁材３１下端両側のフランジ部３１ｂ，３１ｂが南側および北側に来るように設置し、そのフランジ部３１ｂ，３１ｂ先端の桁材側凸部３１ｃ，３１ｃが桁材押え片１３，１３下面側の押え片側凹部１３ｂ，１３ｂに嵌まるように桁材押え片１３，１３を桁受け板部１２ｂにセットしてＺ軸方向ボルト１７ａおよびナット１７ｂによって仮締めして仮固定する。
【００３８】
その際、桁材３１が水平方向に対し傾斜している場合には、下側ブラケット１１と上側ブラケット１２とを連結しているＹ軸方向ボルト１６ａを緩める等して、図１２に示すように桁材３１の底面と、上側ブラケット１２の桁受け板部１２ｂの桁受け面１２ｂ１とが平行になるように、Ｙ軸方向ボルト１６ａを回転軸として下側ブラケット１１に対し上側ブラケット１２を回動して桁受け板部１２ｂの桁受け面１２ｂ１を傾斜させて桁受け板部１２ｂに載せ、図８や図９、図１３（ａ）に示すように桁材押え片１３，１３によって桁材３１のフランジ部３１ｂ，３１ｂを仮固定する。
【００３９】
そのため、桁材３が水平方向に対し傾斜している場合でも、上側ブラケット１２をＹ軸方向ボルト１６ａを回転軸とし回動させることによって、桁材３１の底面と上側ブラケット１２の桁受け板部１２ｂの桁受け面１２ｂ１とを平行にして確実に桁材３１を支持することができる。
【００４０】
また、桁材３の長手方向が桁受け板部１２ｂの長手方向に対し垂直に交差する場合には、図１３（ａ）に示すように桁材押え片１３，１３が回転せずに材押え片１３，１３の短手方向が桁受け板部１２ｂの長手方向と平行な状態で桁材３１の下端両側を仮固定することができる。
【００４１】
これに対し、杭２が地面５に対し垂直でなく傾斜して埋設されたり、あるいは杭２の埋設位置がずれる等して、桁材３の長手方向が桁受け板部１２ｂの長手方向に対し傾斜して交差する場合には、図１３（ｂ）に示すように桁材押え片１３，１３を回転させて桁材押え片１３，１３によって桁材３１の下端両側を仮固定する。
【００４２】
その際、桁材３１の下端両側には先端が上方に向かって突出した被係合部である桁材側凸部３１ｃ，３１ｃを有するフランジ部３１ｂ，３１ｂが設けられている一方、桁材押え片１３，１３の下面側には、桁材側凸部３１ｃ，３１ｃに係合する係合部である押え片側凸部１３ａ，１３ａおよび押え片側凹部１３ｂ，１３ｂが設けられているため、桁受け板部１２ｂにおける南北方向の両端部に回動可能に設けられた桁材押え片１３，１３によって桁材３１の両側から確実に桁材３１を支持することができる。
【００４３】
（垂木３２を取付け）
次に、図１４および図１５に示すように桁材３１と直交するように垂木３２を配置する。その際、垂木３２は予めソーラーパネル４の裏面側に取り付けておいても良いし、桁材３１に垂木３２を固定した後、垂木３２の上側面にソーラーパネル４を設置するようにしても良い。尚、図１４および図１５は、垂木３２の上側面にソーラーパネル４を設置した状態を示している。
【００４４】
桁材３１への垂木３２の取付けは、具体的に、図１４および図１５に示すように桁材３１と直交する方向、すなわち垂木３２の長手方向が南北方向を向くように桁材３１に取り付ける。その際、垂木３２は桁材３１に仮固定する。
【００４５】
具体的には、図２に示すように垂木３２下部のボルト移動溝部３２ａに移動可能にボルト頭部が嵌められた桁・垂木連結ボルト１８ａが桁材３１の垂木接合用フランジ部３１ａのボルト孔３１ａ１（図９や図１０参照。）と一致するように移動させた後、そのボルト孔３１ａ１（図９や図１０参照。）に桁・垂木連結ボルト１８ａを挿通し、垂木接合用フランジ部３１ａから突出した桁・垂木連結ボルト１８ａ先端をナット１８ｂで締結して仮固定する。
【００４６】
一方、垂木３２上部のボルト移動溝部３２ｂには、パネル・垂木連結ボルト１９ａの頭部が移動可能に嵌められているため、パネル・垂木連結ボルト１９ａの軸部をソーラーパネル４に設けられたボルト孔にモジュール押え材１９ｃを介し通しナット１９ｂによって締結する。
【００４７】
そして、ソーラーパネル４を南北方向に傾斜させる場合には、図１５に示すように、下側ブラケット１１の下側側板部１１ａ，１１ａのＸ軸方向ボルト挿通孔１１ａ１，１１ａ１にそれぞれ通したＸ軸方向ボルト１５ａを回転軸として、杭２に対しパネル状物取付装置１全体を、図１５上、左右方向である南北方向に傾斜させる。これにより、ソーラーパネル４の南北方向の傾斜角度を最適な角度に簡単に調整することができる。
【００４８】
（全てのボルトの本締め）
以上のようにして４本の杭２の上部それぞれに実施形態のパネル状物取付装置１を仮固定すると共に、そのパネル状物取付装置１に桁材３１および垂木３２を介してソーラーパネル４を設置し、発電効率が最適となるように各パネル状物取付装置１の設置高さや、ソーラーパネル４の東西方向や南北方向、および平面視の角度を調整した後、仮固定されている全ボルトおよびナットの本締めを行う。
【００４９】
すると、例えば、図１６に示すように、Ｘ軸方向ボルト１５ａを回転軸として下側ユニット１１を杭２に対し南北方向に傾斜させたり、Ｙ軸方向ボルト１６ａを回転軸として上側ユニット１２を下側ユニット１１に対し東西方向に傾斜させること可能である共に、桁材３１をソーラーパネル４のパネル面と平行に回動させて角度を調整することができる。また、上述したように上側ブラケット１２の上側側板部１２ａ，１２ａに形成した高さ調整用長孔１２ａ１，１２ａ１によって杭２の高さズレも調整できると共に、桁材３１をソーラーパネル４のパネル面と平行に回動させた際の桁材押え片１３，１３が横ズレした場合でも、その横ズレを吸収することができる。尚、図１６では、垂木３２およびソーラーパネル４は図示を省略している。
【００５０】
（実施形態のパネル状物取付装置１の効果）
従って、実施形態のパネル状物取付装置１では、下側ブラケット１１と、上側ブラケット１２と、桁材押え片１３と、それらを回動可能に取り付けるボルト１５ａ〜１７ａおよびナット１５ｂ〜１７ｂ等の簡単な構成で各パネル状物取付装置１の設置高さを調整したり、ソーラーパネル４の南北方向の角度だけでなく東西方向の角度も調整できると共に、平面視におけるパネル面と平行に回動させて角度を調整することができる。
【００５１】
その結果、実施形態のパネル状物取付装置１によれば、ソーラーパネル（太陽電池モジュール）４を桁材３１等の架台３を介し設置する際、例えば、設置場所が平地でない傾斜地や斜面等であったり、あるいはパネル状物取付装置１を取り付ける杭２等が傾いていたり、高さや位置がズレていた場合でも、各杭２に取り付けたパネル状物取付装置１でＸ軸方向、Ｙ軸方向、Ｚ軸方向の３方向の角度調整を行うことができるので、杭工事の精度が緩和され、架台設置の際の調整時間も少なくなり、工期短縮を図ることができると共に、パネル状物取付装置１を工場等でユニット化して出荷することができるため、この点でも工期短縮を図ることができる。
【００５２】
特に、実施形態のパネル状物取付装置１では、桁材３１を押える桁材押え片１３，１３を桁受け板部１２ｂの桁受け面１２ｂ１に対し回動可能に設けたため、桁材３１を垂木３２やソーラーパネル４に対しそのパネル面と平行な面において回動させる場合でも、簡単な構成で製造コストを増大させずに回動させることできる。
【００５３】
また、実施形態のパネル状物取付装置１では、桁材３１の下端両側のフランジ部３１ｂ，３１ｂ先端に被係合部として桁材側凸部３１ｃ，３１ｃを設ける一方、桁材押え片１３，１３の下面側には、桁材側凸部３１ｃ，３１ｃに係合する係合部として押え片側凸部１３ａ，１３ａおよび押え片側凹部１３ｂ，１３ｂを設けたため、桁受け板部１２ｂにおける南北方向の両端部に回動可能に設けられた桁材押え片１３，１３によって桁材３１の両側から確実に桁材３１を支持することができる。
【００５４】
また、実施形態のパネル状物取付装置１では、桁受け板部１２ｂのボルト挿通孔１２ｂ２および桁材押え片１３のボルト挿通孔１３ｃの内径をＺ軸方向ボルト１７ａの外径よりも大きくしているため、桁受け面１２ｂ１と平行な面において桁材３１が傾斜した際に桁材押え片１３，１３が横ズレした場合、その横ズレを吸収するので、垂木３２やソーラーパネル４に対しそのパネル面と平行な面における桁材３１の回動角度を大きく確保することができる。
【００５５】
また、平地でない傾斜地や斜面に整地せずにソーラーパネル４を設置する場合、平地に設置する場合よりも杭２の位置ズレや高さズレ等が大きくなることが予想されるが、上側ユニット１２は、下側ユニット１１の一対の傾斜板部１１ｂ，１１ｂと天板部１１ｃとが形成する三角形の頂点となる連結部１１ｅに設けたＹ軸方向ボルト１６ａによって桁材３１下面が下側ユニット１１に干渉せずに東西方向に大きく傾斜できる一方、桁受け板部１２ｂの桁受け面１２ｂ１にＺ軸方向ボルト１７ａによって回動可能に設けた桁材押え片１３，１３によって桁材３１と垂木３２との角度調整を行うので、その角度調整量を大きく確保することができる。
【００５６】
尚、以上の実施形態の説明では、ソーラーパネル４と平行な面において桁材３１を傾斜させた際の桁材押え片１３，１３のズレを考慮して、上側ブラケット１２の桁受け板部１２ｂのボルト挿通孔１２ｂ２および桁材押え片１３のボルト挿通孔１３ｃの内径をＺ軸方向ボルト１７ａの外径よりも大きくして説明したが、本発明では、これに限らず、図１７に示すように少なくとも桁材押え片１３に設けるボルト孔１３ｃを桁材押え片１３の短手方向に延びる長孔形状にしても良い。
【００５７】
また、上記実施形態の説明では、桁材３１の下端両側のフランジ部３１ｂ，３１ｂ先端には被係合部である桁材側凸部３１ｃ，３１ｃを設ける一方、桁材押え片１３，１３の下面側に桁材側凸部３１ｃ，３１ｃに係合する係合部である押え片側凸部１３ａ，１３ａおよび押え片側凹部１３ｂ，１３ｂを設けて説明したが、本発明ではこれに限らず、桁材３１と桁材押え片１３，１３とが確実に係合すれば十分であるので、例えば、桁材３１の下端両側のフランジ部３１ｂ，３１ｂ先端に被係合部である凹部を設ける一方、桁材押え片１３，１３側に桁材３１のフランジ部３１ｂ，３１ｂ先端の凹部に嵌って係合する凸部を設ける等しても勿論良い。
【００５８】
また、以上の実施形態の説明では、４本の杭２に実施形態のパネル状物取付装置１を取り付けそのパネル状物取付装置１に架台３を構成する桁材３１および垂木３２を介してソーラーパネル４を設置して説明したが、本発明では杭２の本数はこれに限定されず、６本や８本以上あっても勿論良いし、パネル状物取付装置１を取り付ける対象も杭２に限定されることはなく、ソーラーパネル取付け用の取付ブラケット等に取り付けることも可能である。
【符号の説明】
【００５９】
１  パネル状物取付装置
１１  下側ブラケット
１１ａ，１１ａ  下側側板部
１１ａ１，１１ａ１  Ｘ軸方向ボルト挿通孔
１１ｂ，１１ｂ  傾斜板部
１１ｃ  天板部
１１ｄ  垂直板部
１１ｅ  連結部
１１ｅ１  Ｙ軸方向ボルト孔
１２  上側ブラケット
１２ａ，１２ａ  上側側板部
１２ａ１，１２ａ１  高さ調整用長孔
１２ｂ  桁受け板部
１２ｂ１  桁受け面
１２ａ２，１２ａ２  ローレット加工部
１３，１３  桁材押え片
１３ａ，１３ａ  押え片側凸部（係合部）
１３ｂ，１３ｂ  押え片側凹部（係合部）
１４，１４  調整座金
１４ｂ，１４ｂ  ローレット加工部
１５ａ  Ｘ軸方向ボルト
１６ａ  Ｙ軸方向ボルト
１７ａ  Ｚ軸方向ボルト
１８ａ  桁・垂木連結ボルト
１９ａ  パネル・垂木連結ボルト
１６ｂ〜１９ｂ  ナット
１９ｃ  モジュール押え材
２  杭
３  架台
３１  桁材
３１ａ  垂木接合用フランジ部
３１ｂ，３１ｂ  フランジ部
３１ｃ，３１ｃ  桁材側凸部（被係合部）
３２  垂木
３２ａ，３２ｂ  ボルト移動溝部
４  ソーラーパネル（太陽電池モジュール）
５  地面
【図１】
2018125975.tif 000003
【図２】
2018125975.tif 000004
【図３】
2018125975.tif 000005
【図４】
2018125975.tif 000006
【図５】
2018125975.tif 000007
【図６】
2018125975.tif 000008
【図７】
2018125975.tif 000009
【図８】
2018125975.tif 000010
【図９】
2018125975.tif 000011
【図１０】
2018125975.tif 000012
【図１１】
2018125975.tif 000013
【図１２】
2018125975.tif 000014
【図１３】
2018125975.tif 000015
【図１４】
2018125975.tif 000016
【図１５】
2018125975.tif 000017
【図１６】
2018125975.tif 000018
【図１７】
2018125975.tif 000019